(57)【要約】      （修正有）【課題】施工する床面やボード面に多少の凹凸があっても不陸が生じることがなく、カッターナイフ等で容易に切断することができるとともに、防水性および強靭性に優れるタイルシートを提供する。【解決手段】タイルシート１は、ポリウレアまたはポリウレアウレタン樹脂組成物を成形した防水シートである柔軟性材料よりなる下地シート４と、下地シート４上に接着剤で接着され互いに目地間隙をあけて配置された複数枚のタイル２とを備える。【選択図】図１
0003231975.tif 000002
【実用新案登録請求の範囲】
【請求項１】
ポリウレアまたはポリウレアウレタン樹脂組成物を成形した防水シートである柔軟性材料よりなる下地シートと、該下地シート上に接着剤で接着され互いに目地間隙をあけて配置された複数枚のタイルとを備えてなることを特徴としたタイルシート。
【請求項２】
下地シートと目地間隙をあけて配置された複数枚のタイルとは同形の矩形であり、相互にずらして接着してアイジャクリ用の貼代を形成した請求項１記載のタイルシート。
【請求項３】
プラスチック系発泡材の断熱パネルの上に貼設した請求項１または請求項２記載のタイルシート。
【考案の詳細な説明】
【技術分野】
【０００１】
本考案は、床等に敷き並べるだけで簡単に施工することができるタイルシートに関するものである。
【背景技術】
【０００２】
タイル施工における工期の短縮、作業数の削減を図り、施工効率を向上させるために、従来、基板に複数のタイルを貼り付け、タイル間に目地を形成したタイルパネルが提供されている。
【０００３】
下記特許文献は施工する床面に多少の凹凸があっても不陸が生じることがなく、またカッターナイフ等で容易に切断することができるタイルシートを提供するものとして提案された。
【特許文献１】特開２００５−１２０５９８号公報
【０００４】
この特許文献１のタイルシートは柔軟性材料よりなるシートと、該シート上に互いに目地間隙をあけて配置された複数枚のタイルと、該目地間隙に設けられた柔軟性材料よりなる目地材とを備えてなる。
【０００５】
前記シートの下面に、床面への吸着性を有した吸着層を備えた。また、前記シートの少なくとも１辺と該辺に沿うタイルとの間に後退代が形成されており、該後退代にも前記目地材が設けられている。
【０００６】
前記シートは、熱可塑性樹脂、ゴム等の柔軟性材料よりなり、具体的には、例えばポリエチレンフォーム、軟質シリコン樹脂、軟質シリコンゴム等が使用される。
【０００７】
特許文献１のタイルシートは、シートが柔軟性材料よりなるため、施工する床等に多少の凹凸が存在しても、シートがその凹凸を吸収するので、タイルシート１の表面に不陸が生じることが防止される。
【０００８】
また、このタイルシートは、目地に沿ってカッターナイフ等で容易に切断することができる。従って、床にタイルシート１を敷き並べていき、最終的に床の隅部にタイルシート１の寸法より小さい隙間が生じたときであっても、その隙間の寸法に合うようにタイルシート１を施工現場で容易に切断して施工することができる。
【考案の概要】
【考案が解決しようとする課題】
【０００９】
浴室の改修や改装は、浴室内の湯水栓、ガス栓、換気扇等の末端機器を外し、既設浴槽を除き、排水口、点検口、ドア、額縁、沓摺り等を外し、床面、壁のタイルのはつり作業（削る作業）及びモルタルのはつり作業を行った後、再び、床面、壁、沓摺り裏面、排水口周囲の防水工事を行い、床にモルタルとともにタイルを貼り、壁にタイルを貼り、新しい浴槽を設置して浴室を復元させる。
【００１０】
このように浴室の改修や改装におけるタイルの貼替えにおいては、防水工事を必要とされるが、前記特許文献１のタイルシートは防水性を考慮したものではない。
【００１１】
また、シートは、熱可塑性樹脂、ゴム等の柔軟性材料よりなり、例えばポリエチレンフォーム、軟質シリコン樹脂、軟質シリコンゴム等が使用されるとあるが、耐久性、強靭性に欠ける。
【００１２】
本考案の目的は前記従来例の不都合を解消し、施工する床面やボード面に多少の凹凸があっても不陸が生じることがなく、カッターナイフ等で容易に切断することができるとともに、防水性および強靭性に優れるタイルシートを提供することにある。
【課題を解決するための手段】
【００１３】
前記目的を達成するため請求項１記載の本考案は、ポリウレアまたはポリウレアウレタン樹脂組成物を成形した防水シートである柔軟性材料よりなる下地シートと、該下地シート上に接着剤で接着され互いに目地間隙をあけて配置された複数枚のタイルとを備えてなることを要旨とするものである。
【００１４】
請求項１記載の本考案によれば、下地シートを形成するポリウレアまたはポリウレアウレタン樹脂組成物とは、主剤のポリイソシアネートに硬化剤のポリアミンが 結合してできる樹脂で（ウレア結合）、これにより、従来のウレタン結合と比べ加水分解しにくくなっている。また、原子団の凝集エネルギー（結合しようと引き合うカ）が強く、 より強固な被膜を形成するので、下地シートは防水性および強靭性に優れる。
下記表１にウレア結合とウレタン結合の相違を示す。
【表１】
0003231975.tif 000003
【００１５】
そして下地シートを敷きつめることで、タイルも敷きつめることができ、簡易かつ迅速なタイル施工ができるとともに、タイルは下地シートによる防水層の上に敷設できる。
【００１６】
さらに、下地シートが柔軟性材料よりなるため、床面に多少の凹凸があっても不陸を防止することができる。
【００１７】
また、下地シートが柔軟性材料よりなるため、カッターナイフ等によって容易に目地に沿って切断することができる。
【００１８】
請求項２記載の本考案は、下地シートと目地間隙をあけて配置された複数枚のタイルとは同形の矩形であり、相互にずらして接着してアイジャクリ用の貼代を形成したことを要旨とするものである。
【００１９】
請求項２記載の本考案によれば、下地シートとタイルとは相互にずらして接着してアイジャクリ用の貼代を形成したので、この下地シートの貼代が、隣接するタイルの裏側の下地シートがない部分に入り込むことで、アイジャクリによる重ね貼りが行える。
【００２０】
請求項３記載の本考案は、プラスチック系発泡材の断熱パネルの上に貼設したことを要旨とするものである。
【００２１】
請求項３記載の本考案によれば、浴室などで本考案のタイルシートを断熱パネルの上に貼設することで、タイルの冷たさを無くし、年取ってのヒートショックを起こすおそれを無くすことができる。また、断熱パネル付きのものとして製品化して、施工の簡略化を実現することができる。
【考案の効果】
【００２２】
以上述べたように本考案のタイルシートは、施工する床面やボード面に多少の凹凸があっても不陸が生じることがなく、カッターナイフ等で容易に切断することができるとともに、防水性および強靭性に優れるものである。
【図面の簡単な説明】
【００２３】
【図１】本考案のタイルシートの1実施形態を示す斜視図である。
【図２】本考案のタイルシートの1実施形態を示す縦断側面図である。
【図３】本考案のタイルシートの1実施形態を示す平面図である。
【図４】本考案のタイルシートの1実施形態を示す貼合わせ状態の縦断側面図である。
【図５】本考案のタイルシートの1実施形態を示す貼合わせ現場の斜視図である。
【図６】本考案のタイルシートの断熱パネルへの貼付けを示す縦断側面図である。
【考案を実施するための形態】
【００２４】
以下、図面について本考案の実施の形態を詳細に説明する。図１は本考案のタイルシートの１実施形態を示す斜視図、図２は同上縦断側面図、図３は同上平面図で、図中２は目地間隙８をあけて整列配置された複数枚のタイル、図中４はポリウレア樹脂組成物を成形した防水シートである柔軟性材料よりなる下地シートを示す。
【００２５】
先に下地シート４から説明すると、水酸基を２個以上有するポリプロピレングリコール（ＰＰＧ）の水酸基当量に対して、過剰な当量比のジフェニルメタンジイソシアネート（以下、「ＭＤＩ」と略すこともある。）を混合し、加熱、攪拌することにより反応させて得られた、イソシアネート基を２個以上有するＭＤＩ系プレポリマーに０％以上、１５％以下の可塑剤を加えたＮＣＯ％が、８％以上〜１６％以下の主材と、アミノ基を２個以上有するＤＥＴＤＡやＰＯＡＰＡ等のアミン、水酸基を２個以上有するＰＰＧ、可塑剤、老化防止剤、反応触媒、消泡剤および顔料を混合した硬化剤とを、専用の機械にて加温し、ホース圧送してホース先端にて混合、攪拌して型枠に吹きつけてポリウレアまたはポリウレアウレタン樹脂組成物を成形した防水シートとして成形したものである。
【００２６】
ポリウレアまたはポリウレアウレタン樹脂組成物を成形した防水シートは、厚み０．５ｍｍ以上３．０ｍｍ以下で、２３℃で引張強さが、１０Ｎ／ｍｍ２以上、引裂強さが３０Ｎ／ｍｍ以上のＪＩＳ  Ａ  ６０２１屋根用塗膜防水材のウレタンゴム系高強度形の性能を有する。
【００２７】
硬化剤のアミノ基と水酸基の割合は、アミノ基：水酸基＝１００：０〜６０：４０であることが望ましい。中でも、６０：４０が最適である。
【００２８】
１００：０は、全てアミノ基となるため、ポリウレア樹脂となり、水酸基が６０：４０の４０部入ると、その４０部との反応物は、ウレタン樹脂となる。アミノ基との反応によるポリウレア樹脂と水酸基との反応によるウレタン樹脂が混在するポリウレアウレタン樹脂となる。
【００２９】
ウレア結合とウレタン結合では、結合エネルギーが異なり、ウレア結合＞ウレタン結合となり、一定以上のウレア結合が性能を担保するために必要となる。
【００３０】
主剤のＮＣＯ基と硬化剤のアミノ基と水酸基を合計した基の比率は、ＮＣＯ基：（アミノ基＋水酸基）＝１．０：１．０５〜１．０：０．７５とする。
【００３１】
主剤のＮＣＯ基に対し、アミノ基＋水酸基を合計した基が多くなりすぎると、物性が低下し、硬化不良となり、少なすぎるとＮＣＯ基が空気中の水分と反応し、塗膜が発泡してしまう。
【００３２】
なお、ポリウレアまたはポリウレアウレタン樹脂組成物を成形した防水シートの表面には予め紫外線劣化を防ぐトップコートを施すことにより、耐紫外線性能を発揮でき、劣化を防止できる。
【００３３】
タイル２としては、セラミック、プラスチック等からなるものが好適であり、複数枚のタイル２が縦横に互いに等しい目地間隙８をあけて桝目状に配置されている。
【００３４】
目地間隙８をあけて整列配置された複数枚のタイル２と下地シート４は共に等辺の矩形であり、同じ大きさで、タイル２を接着剤で下地シート４に貼り付けるのに相互にずらしてアイジャクリ用の貼代５を形成した
【００３５】
シート４の各辺に沿って配置されたタイル２は、これら各辺から所定距離だけずれており、これら各辺と該辺に沿うタイル２との間に、貼代５が形成されている。貼代５の幅はタイル２の幅の約の半分となっている。
【００３６】
なお、整列配置された複数枚のタイル２は裏に剥離紙を設置してシート状にセットされているので、貼付けに際しては剥離紙を剥がして行う。
【００３７】
また、下地シート４にタイル２を貼る接着剤としては、少なくとも、以下の（Ａ）主剤及び（Ｂ）硬化剤を含有するものである接着剤が好適である。（リムボンド：登録商標）
（Ａ）分子内に、脂肪族ジイソシアネートと「水酸基当量５００以上５０００以下のポリプロピレングリコール」とがウレタン結合した構造を有し、分子末端にイソシアネート基を２個以上有するウレタンプレポリマーを含有する主剤
（Ｂ）ジエチルメチルベンゼンジアミン（ＤＥＴＤＡ）を含有する硬化剤
【００３８】
また、１枚の下地シート４上に同色ないし同意匠のタイルのみを配設してもよく、色又は意匠の異なる２種以上のタイルを配設してもよい。
【００３９】
以上のようなポリウレアまたはポリウレアウレタン樹脂組成物を成形した防水シートよりなる下地シート４と、該下地シート４上に接着剤で接着され互いに目地間隙をあけて配置された複数枚のタイル２とを備えてなる本考案のタイルシート１の使用法について説明する。
【００４０】
タイルシート１は下地シート４付の製品として存在するもののであり、その際、
ら目地間隙８に目地材３が充填されているものでもよいが、このタイルシート１を貼付けた後で目地材３を充填してもよい。
【００４１】
なお、目地材３はあらかじめ充填しておくものとしては、柔軟性材料よりなる。ウレタン樹脂、アクリル樹脂、ポリエステル樹脂等の接着性樹脂が好適であり、これらの中でもウレタン樹脂が特に好ましい。後で充填する場合は、セメント系目地材でもよい。
【００４２】
図６に示すように例えば浴室の改修を行う場合は、従前のタイルを床から剥がし、コンクリート床６の面にタイルシート１を互いに突き合わせて敷き並べ、接着剤９で貼付ける。（図４参照）
【００４３】
隣接するタイルシート１，１の突き合わせ箇所において、下地シート４では貼代５が相互に突き合わされることにより、かかる下地シート４の相互に接続箇所はタイル２の１個の中程を通り、目地間隙８に沿って重なることはない。
【００４４】
下地シート４が柔軟性材料よりなるため、施工するコンクリート床６等に多少の凹凸が存在しても、下地シート４がその凹凸を吸収するので、タイル２の表面に不陸が生じることが防止される。
【００４５】
また、タイルシート１は、比較的柔軟であるため、目地に沿ってカッターナイフ等で容易に切断することができる。従って、床にタイルシート１を敷き並べていき、最終的に床の隅部にタイルシート１の寸法より小さい隙間が生じたときであっても、その隙間の寸法に合うようにタイルシート１を施工現場で容易に切断して施工することができる。
【００４６】
図５は本考案の応用例を示すもので、タイルシート１はプラスチック系発泡材の断熱パネル７の上に貼設した。
【００４７】
プラスチック系発泡材の断熱パネル７としては発泡ウレタン、発泡スチロール、発泡フェノール樹脂などが採用できる。
【００４８】
断熱パネル７の上に接着剤を塗布してその上にタイルシート１の下地シート４を貼ればよい。
【００４９】
断熱パネル７は下地シート４で被覆され、この下地シート４を防水層として有することになる。
【符号の説明】
【００５０】
１…タイルシート                ２…タイル
３…目地材                      ４…下地シート
５…貼代                        ６…コンクリート床
７…断熱パネル                  ８…目地間隙
９…接着剤
【図１】
0003231975.tif 000004
【図２】
0003231975.tif 000005
【図３】
0003231975.tif 000006
【図４】
0003231975.tif 000007
【図５】
0003231975.tif 000008
【図６】
0003231975.tif 000009